(57)【要約】【課題】粘弾性体を組み込んだブレース型制震ダンパーの仕組みや性能を簡単に解り易く理解することができ、しかも構造が簡単で使用性にも優れた制震ダンパーモデルを提供する。【解決手段】この発明の制震ダンパーモデルは、建物の躯体に架け渡される粘弾性体を組み込んだブレース型制震ダンパーを簡略化した携帯可能なものであって、透明若しくは半透明な外筒部材１と、この外筒部材１に対して軸方向へ移動自在に挿入された内芯部材２と、外筒部材１と内芯部材２との間に介装された粘弾性体３、３とを備え、外筒部材１に対して内芯部材２を軸方向へ移動させたときの粘弾性体３、３の変形状態を外部から目視可能とされている。【選択図】図１
2008185771.tif 000002
【特許請求の範囲】
【請求項１】
建物の躯体に架け渡される粘弾性体を組み込んだブレース型制震ダンパーを簡略化した携帯可能な制震ダンパーモデルであって、透明若しくは半透明な外筒部材（１）と、この外筒部材（１）に対して軸方向へ移動自在に挿入された内芯部材（２）と、前記外筒部材（１）と内芯部材（２）との間に介装された粘弾性体（３）（３）とを備え、前記外筒部材（１）に対して前記内芯部材（２）を軸方向へ移動させたときの前記粘弾性体（３）（３）の変形状態を外部から目視可能とされていることを特徴とする制震ダンパーモデル。
【請求項２】
前記外筒部材（１）が略角筒状に形成され、前記内芯部材（２）が略角柱状若しくは略角筒状に形成されて、前記外筒部材（１）の４つの内面（１ａ）（１ｂ）（１ｃ）（１ｄ）のうち相対する２つの内面（１ａ）（１ｃ）と、これら内面（１ａ）（１ｃ）に対向する前記内芯部材（２）の外面（２ａ）（２ｃ）との間には、前記粘弾性体（３）（３）が介装され、前記外筒部材（１）の残りの相対する２つの内面（１ｂ）（１ｄ）と、これら内面（１ｂ）（１ｄ）に対向する前記内芯部材（２）の外面（２ｂ）（２ｄ）との間には、前記粘弾性体（３）（３）を介装させないようにした請求項１記載の制震ダンパーモデル。
【請求項３】
前記外筒部材（１）の一端部から前記内芯部材（２）の一端部が突出するようにして、前記内芯部材（２）が前記外筒部材（１）に挿入され、前記外筒部材（１）の他端部及び前記内芯部材（２）の一端部に把持部材（１０）（１２）が夫々取り付けられ、これら把持部材（１０）（１２）を手で持ちながら前記外筒部材（１）に対して前記内芯部材（２）を軸方向へ移動させるようにした請求項１又は２記載の制震ダンパーモデル。
【請求項４】
前記粘弾性体（３）（３）として、実際のブレース型制震ダンパーに組み込まれる粘弾性体と同じ材質で同じ厚みのものが使用されている請求項１乃至３のいずれかに記載の制震ダンパーモデル。
【発明の詳細な説明】
【技術分野】
【０００１】
この発明は、建物の躯体に架け渡される粘弾性体を組み込んだブレース型制震ダンパーの仕組みや性能を理解するために使用される制震ダンパーモデルに関する。
【背景技術】
【０００２】
近年、防災意識の高まりにより、地震時や強風時の揺れを制震ダンパーによって抑えるようにした制震構造を採用した住宅やマンション等の建物が増加している。この種の制震構造における制震ダンパーとしては、例えば特許文献１にも開示されているように、外筒部材とこれに移動自在に挿入される内芯部材との間に粘弾性体を介装した構造となっていて、建物の軸組等の躯体に架け渡されるブレース型のものが知られている。
【０００３】
このようなブレース型制震ダンパーでは、地震や強風による躯体の変形に伴って外筒部材と内芯部材とが相対的に移動すると、粘弾性体が剪断変形して振動エネルギーを吸収することで、建物の揺れを効果的に抑えることができるようになっている。
【０００４】
【特許文献１】特開２００６−２８３３７４号公報
【発明の開示】
【発明が解決しようとする課題】
【０００５】
しかしながら、上記のような粘弾性体を組み込んだブレース型制震ダンパーの仕組みや性能については、専門知識を持たない住宅購入予定者等にとって理解し難いものであった。
【０００６】
住宅メーカー等の住宅提供者は、住宅購入予定者等にブレース型制震ダンパーの仕組みや性能を理解してもらうために、例えば実物を見てもらったり、カタログのイラスト等を用いて説明していたが、そのために多くの時間や労力を要しているにもかかわらず、十分な理解を得られないことが多かった。
【０００７】
この発明は、上記不具合を解消して、粘弾性体を組み込んだブレース型制震ダンパーの仕組みや性能を簡単に解り易く理解することができ、しかも構造が簡単で使用性にも優れた制震ダンパーモデルの提供を目的とする。
【課題を解決するための手段】
【０００８】
上記課題を解決するため、この発明の制震ダンパーモデルは、建物の躯体に架け渡される粘弾性体を組み込んだブレース型制震ダンパーを簡略化した携帯可能なものであって、透明若しくは半透明な外筒部材１と、この外筒部材１に対して軸方向へ移動自在に挿入された内芯部材２と、前記外筒部材１と内芯部材２との間に介装された粘弾性体３、３とを備え、前記外筒部材１に対して前記内芯部材２を軸方向へ移動させたときの前記粘弾性体３、３の変形状態を外部から目視可能とされていることを特徴とする。
【０００９】
具体的に、前記外筒部材１が略角筒状に形成され、前記内芯部材２が略角柱状若しくは略角筒状に形成されて、前記外筒部材１の４つの内面１ａ、１ｂ、１ｃ、１ｄのうち相対する２つの内面１ａ、１ｃと、これら内面１ａ、１ｃに対向する前記内芯部材２の外面２ａ、２ｃとの間には、前記粘弾性体３、３が介装され、前記外筒部材１の残りの相対する２つの内面１ｂ、１ｄと、これら内面１ｂ、１ｄに対向する前記内芯部材２の外面２ｂ、２ｄとの間には、前記粘弾性体３、３を介装させないようにしている。
【００１０】
また、前記外筒部材１の一端部から前記内芯部材２の一端部が突出するようにして、前記内芯部材２が前記外筒部材１に挿入され、前記外筒部材１の他端部及び前記内芯部材２の一端部に把持部材１０、１２が夫々取り付けられ、これら把持部材１０、１２を手で持ちながら前記外筒部材１に対して前記内芯部材２を軸方向へ移動させるようにしている。
【００１１】
さらに、前記粘弾性体３、３として、実際のブレース型制震ダンパーに組み込まれる粘弾性体と同じ材質で同じ厚みのものが使用されている。
【発明の効果】
【００１２】
この発明の制震ダンパーモデルを使用して、外筒部材に対して内芯部材を軸方向へ移動させたときの粘弾性体による力の吸収を体感し、また粘弾性体の変形状態を外部から目視することで、専門知識を持たない住宅購入予定者等であっても、粘弾性体を組み込んだ制震ダンパーの仕組みや性能を実際に体感しながら視覚的に解り易く理解することができる。
【００１３】
しかも、この制震ダンパーモデルは、簡単な構造であって携帯可能となっており、例えば住宅メーカーの営業マン等が鞄に入れて手軽に持ち歩いて、住宅購入予定者等に対して場所を選ばずに簡単に提示することができ、使用性の向上を図ることができる。
【００１４】
また、外筒部材と内芯部材との間に粘弾性体を部分的に介装することで、粘弾性体の変形状態をより解り易く目視することができ、理解度を深めることができる。さらに、外筒部材及び内芯部材に取り付けた把持部材を手で持ちながら、外筒部材に対して内芯部材を軸方向へ移動させることで、操作性を高めることことができる。さらにまた、実際のブレース型制震ダンパーに組み込まれる粘弾性体と同じ材質で同じ厚みの粘弾性体を用いることで、リアル感が増してより一層理解度を深めることができる。
【発明を実施するための最良の形態】
【００１５】
以下、この発明の実施形態を図面に基づいて詳細に説明する。この発明の一実施形態に係る制震ダンパーモデルは、軽量鉄骨住宅の軸組等の躯体に架け渡される粘弾性体を組み込んだブレース型制震ダンパーを簡略化して、手軽に持ち運びができるように携帯可能としたものであって、ブレース型制震ダンパーの仕組みや性能を簡単に解り易く理解するために使用される。
【００１６】
この制震ダンパーモデルは、図１及び図２に示すように、透明若しくは半透明な略角筒状の外筒部材１と、この外筒部材１に対して軸方向へ移動自在に挿入された透明若しくは半透明な略角柱状の内芯部材２と、外筒部材１と内芯部材２との間に介装された一対の粘弾性体３、３とを備えている。
【００１７】
外筒部材１は、例えばアクリル樹脂製であって、断面略溝状の本体部４と、略帯板状の蓋部５と備えている。蓋部５は、本体部４の立ち上がり壁の上端部間に跨るようにして、ビス７・・により本体部４に取り付けられている。この外筒部材１の一端部は開放されており、他端部はブロック状の閉塞部材８によって閉塞されている。なお、閉塞部材８は、例えばアクリル樹脂製であって、透明若しくは半透明となっている。
【００１８】
そして、閉塞部材８には、外筒部材１の長手方向すなわち軸方向に沿ったボルト９の一端部がねじ込まれて、このボルト９の他端部に略円盤状の把持部材１０が固定されている。すなわち、外筒部材１の他端部に、閉塞部材８及びボルト９を介して把持部材１０が取り付けられている。なお、把持部材１０を回転させることで、閉塞部材８に対するボルト９のねじ込み量を調整することができるようになっている。
【００１９】
内芯部材２は、例えばアクリル樹脂製であって、その一端部が外筒部材１の一端部から突出するようにして、外筒部材１に挿入されている。そして、この内芯部材２の一端部には、内芯部材２の長手方向すなわち軸方向に沿ったボルト１１の一端部がねじ込まれて、このボルト１１の他端部に略円盤状の把持部材１２が固定されている。すなわち、内芯部材２の一端部に、ボルト１１を介して把持部材１２が取り付けられている。なお、把持部材１２を回転させることで、内芯部材２に対するボルト１１のねじ込み量を調整することができるようになっている。
【００２０】
粘弾性体３、３は、厚さ５ｍｍ程度の短尺な帯板状に形成されており、実際のブレース型制震ダンパーに組み込まれる粘弾性体と同じ材質で同じ厚みのものが使用されている。この粘弾性体３、３は、図３に示すように、外筒部材１の４つの内面１ａ、１ｂ、１ｃ、１ｄのうち相対する２つの内面１ａ、１ｃと、これら内面１ａ、１ｃに対向する内芯部材２の外面２ａ、２ｃとの間に夫々介装されている。そして、外筒部材１の残りの相対する２つの内面１ｂ、１ｄと、これら内面１ｂ、１ｄに対向する内芯部材２の外面２ｂ、２ｄとの間には、粘弾性体３、３が介装されていない。このように、外筒部材１の４つの内面１ａ、１ｂ、１ｃ、１ｄと内芯部材２の４つの外面２ａ、２ｂ、２ｃ、２ｄとの間のうち、相対する２箇所にのみ粘弾性体３、３を介装することで、粘弾性体３、３の状態を観察し易くしている。
【００２１】
上記の制震ダンパーモデルは、予め内芯部材２側において、その外面２ａ、２ｃに粘弾性体３、３を夫々貼り付けて、さらに一端部に把持部材１２を取り付け、また外筒部材１側において、その本体部４内に把持部材１０を取り付けた閉塞部材８を嵌め込み、この状態で、内芯部材２を外筒部材１の本体部４内に嵌め込んで、最後に本体部４に蓋部５を被せてビス７・・止めすることによって組み立てられている。
【００２２】
上記構成の制震ダンパーモデルは、把持部材１０付きの外筒部材１、把持部材１２付きの内芯部材２、及びこれらの間に介装される粘弾性体３、３とからなる簡単な構造となっており、例えば住宅メーカーの営業マン等が鞄に入れて手軽に持ち歩くことができ、住宅購入予定者等に対して場所を選ばずに簡単に提示することができる。
【００２３】
この制震ダンパーモデルの使用方法としては、両端部の把持部材１０、１２を手で持ちながら、外筒部材１に対して内芯部材２を軸方向へ相対的にゆっくりと移動させて、図４に示すような外筒部材１に対する内芯部材２の挿入量を多くした圧縮動作や、図５に示すような外筒部材１に対する内芯部材２の挿入量を少なくした引張動作を行う。
【００２４】
この動作に際して、強い力が必要であることを実感でき、また圧縮動作や引張動作を繰り返し何度も行うと、手が疲れてくることを実感することができる。また、外筒部材１が透明若しくは半透明となっているので、粘弾性体３、３の変形状態を外部から目視することができる。特に、図４及び図５に示すように、外筒部材１の内面１ｂ、１ｄ（内芯部材２の外面２ｂ、２ｄ）側から制震ダンパーモデルを見ることで、圧縮動作時や引張動作時の粘弾性体３、３の変形状態をより解り易く目視することができる。
【００２５】
従って、住宅購入予定者等の被説明者に上記の動作を行ってもらって、これに合わせて、営業マン等の説明者は、手で加えた力すなわち地震等による振動エネルギーが粘弾性体３、３の剪断変形によって熱エネルギーに変換されて吸収されている旨の説明をすれば良い。これにより、住宅購入予定者等は、粘弾性体を組み込んだ制震ダンパーの仕組みや性能を実際に体感しながら視覚的に解り易く理解することができる。
【００２６】
なお、この発明は、上記実施形態に限定されるものではなく、この発明の範囲内で上記実施形態に多くの修正及び変更を加え得ることは勿論である。例えば、少なくとも外筒部材が透明若しくは半透明となっていて内部状況が目視可能であれば、内芯部材や閉塞部材は必ずしも透明若しくは半透明でなくても良い。また、把持部材は、必ずしもボルトを使用して外筒部材や内芯部材に取り付ける必要はなく、外筒部材や内芯部材に一体的に形成しても良い。
【図面の簡単な説明】
【００２７】
【図１】この発明の一実施形態に係る制震ダンパーモデルの斜視図である。
【図２】同じくその分解斜視図である。
【図３】同じくその拡大縦断面図である。
【図４】圧縮動作時の制震ダンパーモデルの正面図である。
【図５】引張動作時の制震ダンパーモデルの正面図である。
【符号の説明】
【００２８】
１・・外筒部材、１ａ，１ｂ，１ｃ，１ｄ・・外筒部材の内面、２・・内芯部材、２ａ，２ｂ，２ｃ，２ｄ・・内芯部材の外面、３・・粘弾性体、１０，１２・・把持部材
【図１】
2008185771.tif 000003
【図２】
2008185771.tif 000004
【図３】
2008185771.tif 000005
【図４】
2008185771.tif 000006
【図５】
2008185771.tif 000007